(57)【要約】【課題】化学物質毒性試験の所見名とそのグレードからなる所見データを誤り無く、効率良く入力する。【解決手段】所見データを入力するときに、ディスプレイの所見入力画面８１に、所見データのプルダウンメニュ９０を表示する。プルダウンメニュ９０は、複数の所見名表示欄９１とその所見名に対するグレード入力欄９２を含む。複数の所見名は、該所見名の使用頻度に基づき、使用頻度が高い所見名から順に並べて表示する。グレード入力欄９２にグレードが入力され、登録ボタン９５が押されることにより、所見入力画面８１に表示されている項目が関連付けられて、所見データとして登録される。登録された所見名の使用頻度が算出され、更新される。この更新結果は次回の所見データの入力に利用される。【選択図】図９
2012155614.tif 000002
【特許請求の範囲】
【請求項１】
毒性試験の所見名とその所見名におけるグレードとを含む所見データを入力する化学物質毒性試験の所見データ入力システムであって、
前記毒性試験の種別、毒性試験で用いる動物の種別、前記動物の器官の種別の入力を受け付けて記憶する種別登録手段と、
前記所見データを入力するときに、該所見データの試験種別、動物種別、器官種別を指定させるための種別入力欄と、前記所見名及びグレードを入力させる所見データ入力欄とを表示する入力画面表示手段と、
前記各入力欄に入力された情報を確定操作により取り込み、入力された試験種別、動物種別、器官種別と、グレードデータが入力された所見名及びグレードデータとを関連付けた所見データとして作成する所見データ作成手段と、
前記所見データ作成手段で作成された所見データを記憶する所見データ記憶手段と、
前記所見データ作成手段により所見データが作成されたときに、前記試験種別、動物種別、器官種別の組み合わせ毎に、入力された所見データの各所見名の使用頻度を求める所見名の使用頻度算出手段と、
前記使用頻度算出手段で算出された各所見名の使用頻度を、前記試験種別、動物種別、器官種別の組み合わせ毎に記憶する所見名使用頻度記憶手段と、
前記入力画面表示手段の種別入力欄に入力される各種別の組み合わせに基づき、対応する組み合わせの所見名使用頻度を所見名使用頻度記憶手段から求め、前記所見データ入力欄に、使用頻度の高い所見名から順に各所見名と、各所見名に対応するグレード入力欄とを複数表示し、複数表示された中から入力目的とする所見名に対しグレードを選択させて入力する所見名入力支援手段と
を備えることを特徴とする化学物質毒性試験の所見データ入力システム。
【請求項２】
前記所見名入力支援手段は、使用頻度がしきい値よりも小さいときに、前記しきい値よりも小さい使用頻度の所見名を非表示とする非表示手段を有することを特徴とする請求項１記載の化学物質毒性試験の所見データ入力システム。
【請求項３】
入力作業者のＩＤを登録するログイン情報入力手段を有し、
前記試験種別、動物種別、器官種別の組み合わせに、前記ログイン情報入力手段で入力された入力作業者ＩＤを加えて、前記試験種別、動物種別、器官種別、入力作業者ＩＤの各組み合わせ毎に、所見名の使用頻度を求め、この使用頻度を用いて、前記所見名入力支援手段において、使用頻度の高い所見名から順に各所見名と、各所見名に対応するグレード入力欄とを複数表示することを特徴とする請求項２記載の化学物質毒性試験の所見データ入力システム。
【請求項４】
前記入力作業者の属するグループのＩＤを登録するグループ情報入力手段を有し、
前記試験種別、動物種別、器官種別の組み合わせに、前記グループ情報入力手段で入力されたグループＩＤを加えて、前記試験種別、動物種別、器官種別、グループＩＤの各組み合わせ毎に、所見名の使用頻度を求め、この使用頻度を用いて、前記所見名入力支援手段において、使用頻度の高い所見名から順に各所見名と、各所見名に対応するグレード入力欄とを複数表示することを特徴とする請求項２記載の化学物質毒性試験の所見データ入力システム。
【請求項５】
前記非表示手段による所見名の非表示を解除する解除手段を有することを特徴とする請求項２から４いずれか１項記載の化学物質毒性試験の所見データ入力支援システム。
【請求項６】
前記動物種別は、動物の種類、性別、生存期間、動物番号を含み、
前記入力画面表示手段は、
少なくとも動物番号入力欄、器官入力欄を有し、前記動物番号入力欄または器官入力欄のいずれか一方に対応するデータの入力があったときに、他方の入力欄をプルダウンメニュで表示することを特徴とする請求項１から５いずれか１項記載の化学物質毒性試験の所見データ入力システム。
【請求項７】
前記プルダウンメニュは、他方の入力欄と、これに対応する器官状態入力欄と、所見を表示するための所見表示アクションボタンとを有し、
前記所見表示アクションボタンを押したときに、前記グレード入力欄を表示することを特徴とする請求項６記載の化学物質毒性試験の所見データ入力システム。
【請求項８】
前記所見表示アクションボタンを押したときに、対応する器官状態入力欄の入力されたデータの表示方法が変更されることを特徴とする請求項６または７記載の化学物質毒性試験の所見データ入力システム。
【請求項９】
前記器官状態入力欄に病変観察有り以外のデータを入力したときに、この入力されたデータが器官状態入力内容として登録されることを特徴とする請求項６または７記載の化学物質毒性試験の所見データ入力システム。
【請求項１０】
毒性試験の所見名とその所見名におけるグレードとを含む所見データを入力する化学物質毒性試験の所見データ入力方法であって、前記毒性試験の種別、毒性試験で用いる動物の種別、前記動物の器官の種別の入力を受け付けて種別登録手段に記憶する種別登録ステップと、前記所見データを入力するときに、該所見データの試験種別、動物種別、器官種別を指定させるための種別入力欄と、前記所見名及びグレードを入力させる所見データ入力欄とを入力画面として表示する入力画面表示ステップと、前記各入力欄に入力された情報を確定操作により取り込み、入力された試験種別、動物種別、器官種別と、グレードデータが入力された所見名及びグレードデータとを関連付けた所見データとして作成する所見データ作成ステップと、作成された前記所見データを所見データ記憶手段に記憶する所見データ記憶ステップと、前記所見データが作成されたときに、前記試験種別、動物種別、器官種別の組み合わせ毎に、入力された所見データの各所見名の使用頻度を求める所見名の使用頻度算出ステップと、前記使用頻度算出ステップで算出された各所見名の使用頻度を、前記試験種別、動物種別、器官種別の組み合わせ毎に所見名使用頻度記憶手段に記憶する所見名使用頻度記憶ステップと、前記入力画面の種別入力欄に入力される各種別の組み合わせに基づき、対応する組み合わせの所見名使用頻度を前記所見名使用頻度記憶手段から求め、前記所見データ入力欄に、使用頻度の高い所見名から順に各所見名と、各所見名に対応するグレード入力欄とを複数表示し、複数表示された中から入力目的とする所見名に対しグレードを選択させて入力する所見名入力支援ステップとを備えることを特徴とする化学物質毒性試験の所見データ入力方法。
【請求項１１】
毒性試験の所見名とその所見名におけるグレードとを含む所見データを入力する化学物質毒性試験の所見データ入力機能をコンピュータに実現させるためのプログラムであって、前記毒性試験の種別、毒性試験で用いる動物の種別、前記動物の器官の種別の入力を受け付けて種別登録手段に記憶する種別登録機能と、前記所見データを入力するときに、該所見データの試験種別、動物種別、器官種別を指定させるための種別入力欄と、前記所見名及びグレードを入力させる所見データ入力欄とを入力画面として表示する入力画面表示機能と、前記各入力欄に入力された情報を確定操作により取り込み、入力された試験種別、動物種別、器官種別と、グレードデータが入力された所見名及びグレードデータとを関連付けた所見データとして作成する所見データ作成機能と、作成された前記所見データを所見データ記憶手段に記憶する所見データ記憶機能と、前記所見データが作成されたときに、前記試験種別、動物種別、器官種別の組み合わせ毎に、入力された所見データの各所見名の使用頻度を求める所見名の使用頻度算出機能と、前記使用頻度算出機能で算出された各所見名の使用頻度を、前記試験種別、動物種別、器官種別の組み合わせ毎に所見名使用頻度記憶手段に記憶する所見名使用頻度記憶機能と、前記入力画面の種別入力欄に入力される各種別の組み合わせに基づき、対応する組み合わせの所見名使用頻度を前記所見名使用頻度記憶手段から求め、前記所見データ入力欄に、使用頻度の高い所見名から順に各所見名と、各所見名に対応するグレード入力欄とを複数表示し、複数表示された中から入力目的とする所見名に対しグレードを選択させて入力する所見名入力支援機能とを備えることを特徴とする化学物質毒性試験の所見データ入力機能をコンピュータに実現させるためのプログラム。
【発明の詳細な説明】
【技術分野】
【０００１】
本発明は、化学物質毒性試験の所見データ入力システム、方法及びプログラムに関する。
【背景技術】
【０００２】
化学物質毒性試験とは、医薬品、農薬、化粧品・食品・食品添加物・工業化学物質、環境汚染物質等の各種化学物質について、人や生物に好ましくない作用（毒性）の有無またはその強さの程度を調べるための試験であり、通常はラットやマウス、モルモット、うさぎ等の各種動物が使用される。
【０００３】
動物を使用した化学物質毒性試験には、単回投与毒性試験、反復投与毒性試験、生殖・発生毒性試験、変異原性試験、がん原性試験、皮膚感作性試験、皮膚光感作性試験、依存性試験などの各種試験が行われる。例えば、単回投与毒性試験では、１回または短時間での数回投与で、死亡または機能の破壊が起こるような毒性を検出する。反復投与毒性試験では、候補物質を繰り返し投与し、明らかな毒性変化を示す用量とその変化の内容及び毒性変化の認められない用量を求める。生殖・発生毒性試験は、候補物質の生殖・発生の過程における悪影響を検出する。変異原性試験は、候補物質における突然変異を引き起こす性質を検出し、人に対する遺伝的障害を予測する。がん原性試験は、動物においてがん原性の有無を明らかにし、人に対するリスクを評価する。皮膚感作性試験は、候補物質の皮膚への感作性（特異な反応）を検出する。皮膚光感作性試験は、候補物質の遅延型過敏反応を検出する。依存性試験は、候補物質の依存性を評価する。
【０００４】
上記各試験は、薬品を実際に動物に投与し、体重，餌，水，尿等の量の測定、生化学検査，血液学的検査，臨床症状の観察，各種の病理所見等を行い、採取したこれらの症状変化データを分析することによって行われる。このような毒性試験は、多種多様で且つ大量のデータを扱うため、コンピュータシステムが用いられている。
【０００５】
このコンピュータシステムでは、動物毎に個別の所見データを大量に入力する必要がある。例えば、所見を入力する場合には、入力する所見名の数だけでも５０〜２００程度もある。そして、入力すべき所見の一覧を例えばアルファベット順に並べ、これら所見の中から、入力すべき所見を選び出して、そのグレードやコメントを入力している。このため、所見を全て一覧として表示し、この中から目的とする所見を選び出す必要があり、所見の総数が多い場合には手間がかかるという問題がある。また、一覧として全てを表示するため、必要な所見に隣接して不必要な所見も存在し、誤って不必要な所見で入力してしまうことがあった。
【０００６】
このようなデータの入力ミスを無くすために、特許文献１では、ユーザが入力項目のうち、いくつかを入力した場合、それらの入力された入力項目の入力内容を含む重複頻度情報を抽出し、ユーザに選択を促し、ユーザがいずれかの重複頻度情報を選択した場合には、その重複頻度情報を含む入力内容をユーザに代わって入力欄に入力もしくはセットするようにした情報入力支援装置が開示されている。
【先行技術文献】
【特許文献】
【０００７】
【特許文献１】特開２００９−１６９６５６号公報
【発明の概要】
【発明が解決しようとする課題】
【０００８】
特許文献１のシステムでは、入力欄に入力された入力情報を入力履歴情報として記憶し、この記憶した入力履歴情報を用いて、入力情報が同一である入力履歴情報の数である重複頻度を算出し、この重複頻度とそれに対応する入力情報を含む重複頻度情報を生成して記憶しておき、入力項目への入力情報が受け付けられたときに、該入力情報を含む重複頻度情報を抽出して、これら入力項目に対応する重複頻度情報を表示してユーザーに選択を促し、ユーザに選択された重複頻度情報を含む入力情報を入力欄に入力している。また、重複頻度情報を表示する際に、重複頻度に応じて重複頻度情報を配列することも行われている。したがって、重複頻度情報に基づき使用頻度の高い入力情報をユーザに選択させることができ、入力を簡単に行うことができる。
【０００９】
しかしながら、このような入力支援方法を毒性試験の所見データ入力に適用しようとしても、毒性試験では各種試験があり、用いる動物種も多種多様であるため、そのまま適用することができないという問題がある。
【００１０】
本発明は、上記課題を鑑みてなされたものであり、毒性試験における所見データの入力を効率よく且つ入力誤りを極力少なくして行うことができる化学物質毒性試験の所見データの入力システム、方法及びプログラムの提供を目的とする。
【課題を解決するための手段】
【００１１】
本発明は、上記の目的を達成するため、毒性試験の所見名とその所見名におけるグレードとを含む所見データを入力する化学物質毒性試験の所見データ入力システムであって、前記毒性試験の種別、毒性試験で用いる動物の種別、前記動物の器官の種別の入力を受け付けて記憶する種別登録手段と、前記所見データを入力するときに、該所見データの試験種別、動物種別、器官種別を指定させるための種別入力欄と、前記所見名及びグレードを入力させる所見データ入力欄とを表示する入力画面表示手段と、前記各入力欄に入力された情報を確定操作により取り込み、入力された試験種別、動物種別、器官種別と、グレードデータが入力された所見名及びグレードデータとを関連付けた所見データとして作成する所見データ作成手段と、前記所見データ作成手段で作成された所見データを記憶する所見データ記憶手段と、前記所見データ作成手段により所見データが作成されたときに、前記試験種別、動物種別、器官種別の組み合わせ毎に、入力された所見データの各所見名の使用頻度を求める所見名の使用頻度算出手段と、前記使用頻度算出手段で算出された各所見名の使用頻度を、前記試験種別、動物種別、器官種別の組み合わせ毎に記憶する所見名使用頻度記憶手段と、前記入力画面表示手段の種別入力欄に入力される各種別の組み合わせに基づき、対応する組み合わせの所見名使用頻度を所見名使用頻度記憶手段から求め、前記所見データ入力欄に、使用頻度の高い所見名から順に各所見名と、各所見名に対応するグレード入力欄とを複数表示し、複数表示された中から入力目的とする所見名に対しグレードを選択させて入力する所見名入力支援手段とを備えている。
【００１２】
なお、前記所見名入力支援手段は、使用頻度がしきい値よりも小さいときに、前記しきい値よりも小さい使用頻度の所見名を非表示とする非表示手段を有することにより、使用頻度が少ない所見名を非表示とすることができ、所見名の特定が容易になる。さらには、前記非表示手段による所見名の非表示を解除する解除手段を有することにより、あまり使われていない所見名を入力するときにも、対応が可能になる。
【００１３】
入力作業者のＩＤを登録するログイン情報入力手段を有し、前記試験種別、動物種別、器官種別の組み合わせに、前記ログイン情報入力手段で入力された入力作業者ＩＤを加えて、前記試験種別、動物種別、器官種別、入力作業者ＩＤの各組み合わせ毎に、所見名の使用頻度を求め、この使用頻度を用いて、前記所見名入力支援手段において、使用頻度の高い所見名から順に各所見名と、各所見名に対応するグレード入力欄とを複数表示することが好ましい。この場合には、各入力作業者毎に所見名の使用頻度が算出されて、高い頻度のものから順に並べて所見名が表示されるため、入力作業者の習熟度合いが反映されることになり、より簡単に所見データの入力が可能になる。また、入力作業者のＩＤに代えて、入力作業者が属するグループのＩＤを登録しておき、前記試験種別、動物種別、器官種別の組み合わせに、前記グループＩＤを加えて、前記試験種別、動物種別、器官種別、グループＩＤの各組み合わせ毎に、所見名の使用頻度を求め、この使用頻度を用いて、所見データの入力を行うことにより、入力作業に習熟していない者であっても、所見データの入力を簡単に行える。
【００１４】
前記動物種別は、動物の種類、性別、生存期間、動物番号を含み、前記入力画面表示手段は、少なくとも動物番号入力欄、器官入力欄を有し、前記動物番号入力欄または器官入力欄のいずれか一方に対応するデータの入力があったときに、他方の入力欄をプルダウンメニュで表示するにより、動物番号順に入力していった方が効率が良い場合とか、あるいは逆に器官順にまとめた方が効率良く入力できるとかの、入力作業者の好みや作業手順に応じて、入力手順を入れ換えることができ、効率の良い入力が可能になる。
【００１５】
前記プルダウンメニュは、他方の入力欄と、これに対応する器官状態入力欄と、所見を表示するための所見表示アクションボタンとを有し、前記所見表示アクションボタンを押したときときに、前記グレード入力欄を表示することにより、グレードの入力が必要な所見名のみを表示することができ、効率の良い所見データの入力が可能になる。
【００１６】
前記所見表示アクションボタンを押したときに、対応する器官状態入力欄の入力されたデータの表示方法が変更されることにより、これからグレードを入力しようとしている所見名を簡単に確認することができ、誤入力が避けられる。
【００１７】
前記器官状態入力欄に病変観察有り以外のデータを入力したときに、この入力されたデータが器官状態入力内容として登録されることにより、グレードの入力が不要なものに対しては、不必要な入力操作を要求することがなく、効率の良い入力作業が可能になる。
【００１８】
また、本発明は、毒性試験の所見名とその所見名におけるグレードとを含む所見データを入力する化学物質毒性試験の所見データ入力方法であって、前記毒性試験の種別、毒性試験で用いる動物の種別、前記動物の器官の種別の入力を受け付けて種別登録手段に記憶する種別登録ステップと、前記所見データを入力するときに、該所見データの試験種別、動物種別、器官種別を指定させるための種別入力欄と、前記所見名及びグレードを入力させる所見データ入力欄とを入力画面として表示する入力画面表示ステップと、前記各入力欄に入力された情報を確定操作により取り込み、入力された試験種別、動物種別、器官種別と、グレードデータが入力された所見名及びグレードデータとを関連付けた所見データとして作成する所見データ作成ステップと、作成された前記所見データを所見データ記憶手段に記憶する所見データ記憶ステップと、前記所見データが作成されたときに、前記試験種別、動物種別、器官種別の組み合わせ毎に、入力された所見データの各所見名の使用頻度を求める所見名の使用頻度算出ステップと、前記使用頻度算出ステップで算出された各所見名の使用頻度を、前記試験種別、動物種別、器官種別の組み合わせ毎に所見名使用頻度記憶手段に記憶する所見名使用頻度記憶ステップと、前記入力画面の種別入力欄に入力される各種別の組み合わせに基づき、対応する組み合わせの所見名使用頻度を前記所見名使用頻度記憶手段から求め、前記所見データ入力欄に、使用頻度の高い所見名から順に各所見名と、各所見名に対応するグレード入力欄とを複数表示し、複数表示された中から入力目的とする所見名に対しグレードを選択させて入力する所見名入力支援ステップとを有する。
【００１９】
また、本発明は、毒性試験の所見名とその所見名におけるグレードとを含む所見データを入力する化学物質毒性試験の所見データ入力機能をコンピュータに実現させるためのプログラムであって、前記毒性試験の種別、毒性試験で用いる動物の種別、前記動物の器官の種別の入力を受け付けて種別登録手段に記憶する種別登録機能と、前記所見データを入力するときに、該所見データの試験種別、動物種別、器官種別を指定させるための種別入力欄と、前記所見名及びグレードを入力させる所見データ入力欄とを入力画面として表示する入力画面表示機能と、前記各入力欄に入力された情報を確定操作により取り込み、入力された試験種別、動物種別、器官種別と、グレードデータが入力された所見名及びグレードデータとを関連付けた所見データとして作成する所見データ作成機能と、作成された前記所見データを所見データ記憶手段に記憶する所見データ記憶機能と、前記所見データが作成されたときに、前記試験種別、動物種別、器官種別の組み合わせ毎に、入力された所見データの各所見名の使用頻度を求める所見名の使用頻度算出機能と、前記使用頻度算出機能で算出された各所見名の使用頻度を、前記試験種別、動物種別、器官種別の組み合わせ毎に所見名使用頻度記憶手段に記憶する所見名使用頻度記憶機能と、前記入力画面の種別入力欄に入力される各種別の組み合わせに基づき、対応する組み合わせの所見名使用頻度を前記所見名使用頻度記憶手段から求め、前記所見データ入力欄に、使用頻度の高い所見名から順に各所見名と、各所見名に対応するグレード入力欄とを複数表示し、複数表示された中から入力目的とする所見名に対しグレードを選択させて入力する所見名入力支援機能とを有する。
【発明の効果】
【００２０】
本発明によれば、毒性試験における所見データの入力において、使用頻度の高い所見が、使用頻度の高い順に並べて表示されるため、入力すべき所見名を簡単に特定することができる。特定された所見名に対してグレードを入力することで、誤入力の発生を抑えて効率よく所見名及びそのグレードを入力することができる。
【図面の簡単な説明】
【００２１】
【図１】本発明の化学物質毒性試験の所見データ入力システムの構成図である。
【図２】各端末およびサーバを構成するコンピュータの概略を示す構成図である。
【図３】所見入力端末の概略を示す構成図である。
【図４】本発明の化学物質毒性試験の所見データ入力システムの動作を説明するフローチャートである。
【図５】本発明の化学物質毒性試験の所見データ入力システムの機能ブロック図である。
【図６】試験初期値登録画面の一例を示す正面図である。
【図７】所見入力画面の一例を示す正面図である。
【図８】器官名のプルダウンメニュが表示された所見入力画面の一例を示す正面図である。
【図９】器官名及びグレード入力欄一覧のプルダウンメニュが表示された所見入力画面の一例を示す正面図である。
【図１０】グレードを入力するためのプルダウンメニュが表示されたグレード入力欄の一例を示す正面図である。
【図１１】所見データの一例を表形式で表した所見データテーブルを示す説明図である。
【図１２】動物情報テーブルの一例を示す説明図である。
【図１３】所見名使用頻度テーブルの一例を示す説明図である。
【発明を実施するための形態】
【００２２】
図１において、化学物質毒性試験の所見データ入力システム１０は医薬品研究所などの研究施設に構築され、各研究室１１，１２に設置される帳票作成端末１３と、例えば管理室１４に設置されるデータベース（以下、ＤＢと略す）サーバ１５と、これらを通信可能に接続するネットワーク１６とを備える。ネットワーク１６は、例えば研究所に敷設されたＬＡＮ（Local Area Network)である。この所見データ入力システム１０は、化学物質毒性試験における各種検査の作業工程の一つである所見データの入力を支援する。そして、最終的には所見データの入力後の解析、試験報告書に用いる帳票の作成等も支援する機能を備えており、これら各機能によって、化学物質毒性試験の病理レポートシステムが構成される。
【００２３】
各端末１３およびＤＢサーバ１５は、それぞれ、パーソナルコンピュータ、サーバ用コンピュータ、ワークステーションなどのコンピュータをベースに、オペレーティングシステム等の制御プログラムや、クライアントプログラム又はサーバプログラムなどのアプリケーションプログラムをインストールして構成される。
【００２４】
図２において、各端末１３およびＤＢサーバ１５を構成するコンピュータは、基本的な構成は略同じであり、それぞれ、ＣＰＵ２０、メモリ２１、ストレージデバイス２２、ＬＡＮポート２３、およびコンソール２４を備えている。これらはデータバス２５を介して相互接続されている。
【００２５】
ストレージデバイス２２は、例えば、ＨＤＤ（Hard Disk Drive）から構成される。ストレージデバイス２２には、制御プログラムやアプリケーションプログラム（以下、ＡＰという）２６が格納される。ＤＢサーバ１５には、プログラムを格納するＨＤＤとは別に、ＤＢ用のストレージデバイス２２として、例えば、ＨＤＤを複数台連装したディスクアレイが設けられる。ディスクアレイは、ＤＢサーバ１５の本体に内蔵されるものでもよいし、本体とは別に設けられ、本体にケーブルやネットワークを通じて接続されるものでもよい。
【００２６】
メモリ２１は、ＣＰＵ２０が処理を実行するためのワークメモリである。ＣＰＵ２０は、ストレージデバイス２２に格納された制御プログラムをメモリ２１へロードして、プログラムに従った処理を実行することにより、コンピュータの各部を統括的に制御する。ＬＡＮポート２３は、ネットワーク１６との間の伝送制御を行うネットワークインタフェースである。コンソール２４は、ディスプレイ２７と、キーボードやマウス等の入力デバイス２８とからなる。
【００２７】
帳票作成端末１３には、ＡＰ２６として、各種試験のデータを入力し、編集するための帳票作成支援を行うソフトウエアであるクライアントプログラムがインストールされている。また、ＤＢサーバ１５には、ＡＰ２６として、クライアントである各端末１３からの要求に応じて処理を実行するサーバプログラムがインストールされている。
【００２８】
図１に示すように、ＤＢサーバ１５には、化学物質毒性試験ＤＢ１９が構築されている。この試験ＤＢ１９は、化学物質毒性試験の入力データ格納部１９ａ、履歴データ格納部１９ｂ、保護データ格納部１９ｃ、マスタテーブル格納部１９ｄを備えている。入力データ格納部１９ａには、化学物質毒性試験の入力データが格納される。履歴データ格納部１９ｂには、後に説明するように、各試験で用いられる所見データの入力の際に、所見名に関する使用頻度が格納される。保護データ格納部１９ｃには、入力が確定したものにつき改竄などができないようにした保護データが格納される。マスタテーブル格納部１９ｄには、化学物質毒性試験の帳票出力システムに必要な各種マスタテーブルが格納される。
【００２９】
帳票作成端末１３は、化学物質毒性試験の一般ユーザ１７と管理ユーザ１８とによって操作される。一般ユーザ１７は、例えば各研究室毎に所属が分けられており、複数の所属グループのいずれかに属する。この一般ユーザ１７は、試験情報登録、辞書登録、所見入力、所見解析・修正、帳票出力などの一般的な試験業務処理の操作権限を有する。管理ユーザ１８は、一般ユーザ１７の中から試験担当者として選ばれた者であり、一般ユーザ１７の操作権限の他に、最終化、マスタテーブルメンテナンス、一般ユーザ登録などのシステム全体の管理処理の操作権限をも有する。これら一般ユーザ１７及び管理ユーザ１８は、マスタテーブルのメンテナンスの処理によって、ユーザＩＤ（identification）、名前、パスワード、所属グループＩＤがそれぞれ登録される。
【００３０】
図２において、帳票作成端末１３のＣＰＵ２０は、帳票作成支援用のＡＰ２６を起動すると、図３に示すように、コンソール制御部３０、ＤＢアクセス部３１、及び入力処理部３２として機能する。そして、図４に示すステップＳＴ１〜ＳＴ１６により各種処理が実行される。
【００３１】
図５は所見データ入力システム１０を機能ブロック図で表したものであり、各ＡＰ２６（図２参照）の起動により、帳票作成端末１３及びＤＢサーバ１５（図１参照）に、所見データ入力システム１０として、種別登録部６０、種別データ記憶部６１、データ入力画面表示部６２、入力受付部６３、所見データ作成部６４、所見名の使用頻度算出部６５、所見名使用頻度記憶部６６、所見データ記憶部６７を発現する。そして、データ入力画面表示部６２、入力受付部６３、所見名使用頻度算出部６５、所見名使用頻度記憶部６６により、所見名入力支援部６８が構成される。また、種別データ記憶部６１及び所見データ記憶部６７は、ＤＢサーバ１５の入力データ格納部１９ａ（図３参照）に構成され、所見名使用頻度記憶部６６は、ＤＢサーバ１５の履歴データ格納部１９ｂに構成される。
【００３２】
種別登録部６０及び所見データ作成部６４は、データ入力画面表示部６２や入力受付部６３を制御する。そして、図６〜図１０に示すように、ＧＵＩ（Graphical User Interface）による画面７１，８１をディスプレイ２７（図３参照）に順に表示する。これら画面７１，８１上で、マウスを用いて入力欄を指定した後に、マウスのクリックによる選択操作や、キーボードによる文字入力操作により、データの入力や各種設定が行われる。
【００３３】
種別登録部６０は、毒性試験の種別、毒性試験で用いる動物の種別、前記動物の器官の種別の入力を受け付けて、これらをテーブルデータ形式として記憶する。例えば、新規試験の場合には、データ入力画面表示部６２のディスプレイ２７において、図３に示すように、初期値登録タブ７０をマウスによりクリックすることで、試験初期値登録画面７１を表示する。この試験初期値登録画面７１では、試験番号入力欄７１ａ、試験名称入力欄７１ｂ、性別入力用チェック欄７１ｃ、投与単位（試験で用いる被験物質の投与単位で、例えばｍｇ（またはｋｇ）／ｄａｙ）入力欄７１ｄ、総群数（動物群の総数）入力欄７１ｅが表示される。これら各欄７１ａ〜７１ｅに所定の数値やテキストデータ、チェックマークなどが入力される。そして、試験番号,試験名,性別,投与単位を入力および選択し、総群数を入力すると、入力した数だけ群初期値登録用プルダウンメニュ７３が表示される。なお、性別入力用チェック欄７１ｃにチェックが入力れさると、このチェックされた性別が、群初期値登録用プルダウンメニュ７３の性別に反映され、これらが表示される。このプルダウンメニュ７３では、群総数分の動物群名称入力欄７３ａ、投与量（各動物群に対する被験物質の投与量）入力欄７３ｂ、動物番号入力欄７３ｃが表示される。そして、これら入力欄７３ａ〜７３ｃを用いて各登録事項が入力され、登録ボタン７２が押されると、これらプルダウンメニュ７３の各欄７３ａ〜７３ｃの内容が登録される。このようにして登録されたテーブルの一例として、図１２に、動物情報テーブル４３を示す。
【００３４】
また、図示は省略したが、試験担当者の登録では、上記同様にして試験担当者の登録画面が表示され、同様の操作を行うことによって、選択中の試験の担当者を選択・登録することができる。本操作により登録された担当者は、後に説明する試験選択画面で当該試験を選択することが可能になる。また、観察対象器官の登録では、選択中の試験で所見入力対象とする器官を選択し登録する。本操作で選択・登録が可能な器官は、予め器官マスタに登録されている。この器官マスタの登録は管理者によって行われている。
【００３５】
図７に示すように、所見入力タブ８０をクリックすることにより、所見入力画面８１が表示される。所見入力画面８１は、群番号入力欄８２、動物番号入力欄８３、器官入力欄８４、腫瘍性所見チェック欄８５を有する。これら各入力欄８２〜８５を用いて、基本事項が登録される。群番号の入力欄８２はプルダウン方式の入力となっている。先ず、右側の三角ボタン８２ａを押すことにより、入力可能な群番号が表示される。これらの中から入力すべき数値を選択することで、群番号の入力が完了する。動物番号入力欄８３もプルダウン方式の入力となっており、三角ボタン８３ａを押すことにより、入力可能な動物番号が表示され、上記群番号の入力と同様にして動物番号の入力が行われる。腫瘍性所見チェック欄８５には腫瘍性所見の場合にチェックが入れられる。
【００３６】
器官入力欄８４もプルダウン方式の入力となっている。先ず、器官入力欄８４内の右側の三角ボタン８４ａを押すことにより、図８に示すように、プルダウンメニュ８６が現れる。このプルダウンメニュ８６では、選択した動物番号における入力可能な器官名毎に、器官状態入力欄８７、「所見表示」のアクションボタン８８が横一列に並べられる。このプルダウンメニュ８６の器官状態入力欄８７に、病変が観察された器官（グレード入力有り）の場合に「Ｙ」、病変が観察されなかった器官（グレード入力無し）の場合に「Ｎ」、未検査器官（通常）の場合に「Ｘ」、未検査器官（消失）の場合に「Ｌ」が入力される。なお、「Ｎ」、「Ｘ」、「Ｌ」については、器官状態入力欄のプルダウンメニュ８６からの選択により、これら「Ｎ」、「Ｘ」、「Ｌ」の器官状態入力内容が自動的に登録され、操作完了となる。
【００３７】
また、病変が観察された器官（グレード入力有り）の場合には、次のような入力操作によって、所見データの入力が行われる。まず、所見表示アクションボタン８８をクリックすると、グレード入力欄一覧がプルダウンメニュ９０として表示される。
【００３８】
プルダウンメニュ９０は、所見名表示欄９１、グレード入力欄９２、コメント入力欄９３、更新日時表示欄９４が横一列に並べられており、これらの各所見データが行単位で入力可能になる。なお、各所見データを入力しているときには、対応する器官状態入力欄の器官名を示す文字が、例えば「赤色」となる。赤色表示を図示するために、放射線９９で対応する文字表示部分の周りを囲ってあるが、実際の画面ではこのような放射線９９は表示されない。しかし、注意を喚起する意味で、赤色表示や赤色点滅表示に代えて、あるいは加えて、積極的に放射線９９を表示しても良い。このため、どの器官について、所見を入力しているのかが、ユーザに簡単に判るようになる。したがって、入力を確実に誤りなく行うことができる。
【００３９】
グレード入力欄一覧を示すプルダウンメニュ９０では、入力すべき所見の使用頻度に基づき、最も頻度の高い所見名Ｓ１から順に上から下に向かって行単位で、Ｓ２，Ｓ３，Ｓ４，・・・の順に並べられる。このため、ユーザは、使用頻度が高いものから順に所見名Ｓ１，Ｓ２，Ｓ３，・・・等が表示されるため、入力すべき所見名を簡単に選び出すことができる。そして該当する所見名があったときは、図１０に示すように、このグレード入力欄９２の三角ボタン９２ａを押してプルダウンメニュ９６を表示させ、対応するグレードをマウスでクリックして選択することで、選択したグレード、例えば「＋＋」が入力欄９２に入力される。本実施形態では、グレードとして入力する情報は、何も入力しない「空欄」及び「−」と、記号を用いて４段階表示される「±」、「＋」、「＋＋」、「＋＋＋」があり、これらをマウスで選択することにより入力される。空欄は、器官状態入力欄に「Ｘ」または「Ｌ」が選択されたときに、記録されるもので、この場合には所見欄も空欄となる。また、器官状態入力欄に「Ｎ」が選択された場合には、所見名欄は空欄となり、グレード欄には「−」のグレードが自動的に登録される。また、「Ｘ」、「Ｌ」を選択したときには、所見欄及びグレード欄は、空欄となる。なお、グレードは５段階表示で、「−」、「±」、「＋」の組み合わせで構成されているが、使用する文字種やグレード数は適宜変更して良く、例えばアルファベット順や数字順や、これらの組み合わせを用いてよい。
【００４０】
なお、本実施形態ではグレード入力欄９２において、「空欄」は未検査状態を意味する。また、グレードは、「−」が所見が見られないことを意味し、「±」が所見の状態が低く、＋の数が多くなるほど、所見の状態が高く顕著であることを示している。
【００４１】
グレードを選択し、新規入力が完了またはグレードの変更が完了すると、対応する所見名の文字色が例えば「赤色」となる（放射線９９による囲繞部分）。そして、コメント入力欄９３へのテキスト入力が可能になり、必要に応じてコメントが入力される。次ぎに、登録ボタン９５をクリックすることにより、所見データ入力画面で入力された内容が確定し、所見データ作成部６４で所定のデータフォーマットとして、所見データ記憶部６７に記憶される。このとき、病変が観察された器官（グレードを入力した所見が属する器官）の器官状態入力欄に「Ｙ」が表示され、このＹが自動的に入力される。このようにして登録された所見データテーブル４２の一例を図１１に示す。
【００４２】
所見データ作成部６４（図５参照）で当該器官のグレード入力内容が登録され、赤色になっていた所見の文字色が元に戻る。以下、同様の操作により、所見が次々と入力され、登録操作によって、所見データ記憶部６７に所見データが記憶されていく。なお、器官に関しては、選択されている器官の器官状態入力欄８７にだけ入力完了の表示として、器官状態入力欄８７の背景を赤くしている。したがって、次の器官を新たに選択すると、前回まで選択されていた器官の器官状態入力欄８７の背景の赤色表示は消える。
【００４３】
次ぎに、所見入力画面８１におけるプルダウンメニュ９０の表示について、説明する。毒性試験で用いられる所見名の数は試験種別によっても異なるが、１００を優に超えるため、これらの全所見名を表示していたのでは、例えばａｂｃ順に表示したとしても、スクロールして見つけるのに時間がかかり、また、似たような所見が並んで表示されてしまい、誤って入力してしまう懸念もある。そこで、本発明では、毒性試験の種別、動物種別、器官種別、ユーザ種別の各組み合わせ毎に、各所見名の登録操作が完了した時点で、その使用頻度を求めておき、これを所見名使用頻度テーブル（図１３参照）４４として記憶する。そして、所見を入力する際に、この使用頻度テーブル４４を参照し、該当する組み合わせでの使用頻度順に基づき、高頻度のものを上にして以下、下になるほど順に使用頻度が下がるような並び順で、所見名をプルダウンメニュにて表示している。また、使用頻度が予め定めた基準値（しきい値）よりも低いときには、この使用頻度が低いものについては一覧に表示させない。
【００４４】
なお、本実施形態では、試験種別、動物種別、器官種別を１つのグループとして求めた使用頻度を第１使用頻度としたときに、これらを使用頻度１のグループとして、1つのテーブルを作成する。また、試験種別、動物種別、器官種別、ユーザを１つのグループとして求めた使用頻度を第２使用頻度としたときに、これらを使用頻度２のグループとして、1つのテーブルを作成する。このようなテーブル構成とすることで、所見の用いられるパターン毎に、それぞれの使用頻度が求められることになるが、ＤＢ設計上はこれが一番シンプルな構成となり、扱いが楽になる。なお、index等、検索速度を向上させる種々の周知な手法を用いてチューニングを行うと検索スピードが向上する。したがって、数万〜数十万件とデータ量が多くなっても、また、どのテーブルの使用頻度を利用しても（例えば、ユーザ毎の使用頻度にするか否か切り替えても）、検索効率が低下することはない。
【００４５】
種別データ記憶部６１及び所見データ記憶部６７は、図３に示すＤＢアクセス部３１とＤＢサーバ１５のマスタテーブル格納部１９ｄとから構成されており、図１１〜図１３に示す各種テーブル４２〜４４を記憶している。
【００４６】
使用頻度算出部６５は、所見データの入力の際に用いた所見データについて、その使用頻度を、化学物質毒性試験の試験種別毎、動物種別毎、前記動物の器官毎、ユーザ毎に求めて、使用頻度として更新する。具体的には、グレードを入力したもののみについて、その使用頻度を求める。また、グレードを入力しなかった所見名については、その使用頻度を求めない。
【００４７】
図１３は、試験名、試験種別、動物種別、器官名、所見名、使用頻度の順で各項目を並べた所見名使用頻度テーブル４４の一例を示している。なお、使用頻度としては、比率で表しているが、これに代えて、単に使用頻度の累積回数で表してもよい。
【００４８】
使用頻度を比率で表す場合には、例えば次のようにして求める。
毒性試験の種類：ｄ、毒性試験ｄの実施回数：Ｎｄ、所見：ｓ、毒性試験ｄで所見ｓが用いられるという事象：Ｘｓ、動物種ａと系統ｐで所見ｓが用いられるという事象：Ｙｓ、ユーザｕで所見ｓが用いられるという事象：Ｚｓ、事象Ａの起こる回数：Ｎ（Ａ）としたときに、Ｘｓ，Ｙｓ，Ｚｓの組み合わせで用いられる所見の使用頻度：Ｆｘｙｚは下記式により求められる。
Ｆｘｙｚ＝Ｎ（Ｘｓ∩Ｙｓ∩Ｚｓ）／Ｎｄ
【００４９】
なお、上記のようにユーザｕで絞り込んだ所見使用頻度Ｆｘｙｚの他に、Ｘｓ，Ｙｓの組み合わせで用いられる所見の使用頻度Ｆｘｙ（ユーザｕでの絞り込みを無くした全ユーザの所見使用頻度Ｆｘｙ）は、下記式により求められる。
Ｆｘｙ＝Ｎ（Ｘｓ∩Ｙｓ）／Ｎｄ
【００５０】
また、ユーザｕに代えて所属グループｇで所見が用いられるという事象：Ｗｓとしたときに、Ｘｓ，Ｙｓ，Ｗｓの組み合わせで用いられる所見の使用頻度：Ｆｘｙｗは下記式により求められる。
Ｆｘｙｗ＝Ｎ（Ｘｓ∩Ｙｓ∩Ｗｓ）／Ｎｄ
【００５１】
図１３の所見名使用頻度テーブル４４の一例において、所見名の使用頻度Ｆｘｙｚが、Hemorrhage（出血）で０．８５、Calcification（石灰化）で０．８４、Accumulation, foam  cell（泡沫細胞集簇）で０．８１、Alveolar epithelial hyperplasia（肺胞上皮過形成）で０．７８、Alteration, nuclear（核変化）で０．６５、Edema（浮腫）で０．６３、・・・の場合には、図９に示すように、所見名として、「Hemorrhage（出血）」、「Calcification（石灰化）」、「Accumulation, foam cell（泡沫細胞集簇）」、「Alveolar epithelial hyperplasia（肺胞上皮過形成）」、「Alteration, nuclear（核変化）」、「Edema（浮腫」・・・のように使用頻度の高い順の所見名から順に並べて表示される。そして、しきい値を０．１５に設定した場合には、しきい値０．１５未満のものは非表示とされ、使用頻度の高い所見名のみがプルダウンメニュ９０として表示される。このしきい値未満の使用頻度を有する所見名を非表示とする構成により、所見名の非表示手段が構成される。
【００５２】
なお、使用頻度が低い所見名をしきい値で判別し、これら使用頻度が低い所見名を非表示としているが、場合によっては、この非表示の所見名を入力したい場合もある。この場合には、図９に示すように、全所見名の表示ボタン９７を押すことにより、これら使用頻度が低い所見名も表示することができる。この全所見名の表示ボタン９７による全所見名の表示を行う構成により、所見名の非表示解除手段が構成される。
【００５３】
次ぎに、図４に示すフローチャートを参照して、本形態の作用を説明する。まず、帳票作成端末１３のディスプレイ２７に、ログイン画面を表示する（ＳＴ１）。ログイン画面では、ユーザＩＤ、パスワード、検査種別が入力可能となる。検査種別では、マクロ、またはミクロの入力対象所見がラジオボタンで選択可能になっている。マクロ検査は、摘出された臓器を肉眼的に観察する検査をいう。また、ミクロ検査は摘出された臓器の標本を作製し顕微鏡を用いて組織学的に観察する検査をいう。
【００５４】
ユーザＩＤとパスワードとが入力されると、予め記憶されているユーザＩＤ及びパスワードと照合され、これらが一致する場合にはログインが可能になる。ログイン後には、各種処理に応じてＧＵＩによる操作画面がディスプレイ２７に順に表示される。この操作画面により、各種試験のデータの入力や各種設定等の操作が可能になる。
【００５５】
ログイン後は、新規試験か既存試験かの選択画面が表示され、これらのいずれかが選択可能になる（ＳＴ２）。新規試験が選択されると、新規にデータ入力を開始する試験の試験種別（単回投与、反復投与等）の選択画面、試験情報の登録画面、試験担当者の登録画面、観察対象器官の登録画面などが順にディスプレイ２７に表示され、これらの入力が行われる（ＳＴ３〜ＳＴ５）。これにより、新規試験につき、その試験種別や、その他の各種項目が登録され、新規試験に対してデータの入力などが可能になる。
【００５６】
また、既存試験が選択されると、既存の試験の選択画面が表示され、新規試験での各種登録画面の表示は省略される。既存試験の選択画面は、単回投与毒性試験、反復投与毒性試験、生殖・発生毒性試験、遺伝毒性試験、がん原性試験、免疫毒性試験などの試験について、現在入力中や既に入力が完了した試験の一覧表から構成されている。各試験毎に付された試験ＩＤや、各試験名称をクリックすることで、クリックした試験の各種処理画面に移ることができる（ＳＴ６）。
【００５７】
試験の選択が終わると、選択された試験における所見データの入力処理画面となる（ＳＴ３）。この所見データの入力画面では、器官状態，グレード，コメント等の所見データやその他の各種データの入力が可能になる（ＳＴ７〜ＳＴ１６）。入力された各種データは、各試験毎に割り振られた試験ＩＤ毎に、ＤＢサーバ１５の入力データ格納部１９ａに格納される。図１１は以上のようにして入力された所見データテーブル４２の一例である。
【００５８】
入力が終了すると、この入力されたデータを用いて、所見を解析・修正する操作画面、試験情報を編集する操作画面、管理ユーザの承認により試験を最終化する最終化操作画面を経て、各種データ処理の入力や編集処理が終了する。本発明では、データ入力以降の、所見の解析・修正、試験情報の編集、試験最終化、帳票作成の各操作は重要ではないので、これらの各処理についての説明は省略している。
【００５９】
本実施形態では、グレードを入力した所見名の使用頻度が求められて更新され、その他のグレードを入力しなかった所見名については、使用頻度が更新されない。したがって、次回の所見入力では、より一層使用頻度の高いものが上位に表示されることになり、不要なものが下位に表示されるか、全く表示されない状態となる。このように使用頻度が低い所見名は下位に表示されるようになるため、入力が容易になる。
【００６０】
（第２実施形態）
上記第１実施形態では、各ユーザ毎に使用頻度を更新したが、これに代えて、ユーザ所属グループ毎に使用頻度を求めて更新してもよい。さらには全ユーザの使用頻度を求めて、更新してもよい。この場合には、図７〜図９に示すように、所見入力画面８１において、履歴データの選択ボタン８９を表示し、ユーザー所属グループ毎の使用頻度や、全ユーザの使用頻度を選択可能にする。例えば、デフォルトでは各ユーザ毎の使用頻度を用い、必要に応じて、各研究室毎のユーザ所属グループ毎の使用頻度や、全ユーザの使用頻度を選択して、選択した使用頻度を用いた所見名及びそのグレードを入力する。この第２実施形態では、使用頻度をユーザ個人に限らず、同種の試験や研究を行うグループ毎の使用頻度や、さらには総ユーザによる使用頻度を用いることで、異なる観点における使用頻度を用いることもでき、所見データの入力を容易に行うことができる。例えば、新人のユーザの場合には、総ユーザや所属グループの使用頻度を用いて所見データの入力を行い、所見名使用頻度がある程度蓄積された段階で各ユーザ毎の使用頻度に切り換えることもできる。
【００６１】
なお、上記各実施形態では、各ユーザ毎や、各ユーザの所属する所属グループ毎、さらには総ユーザ毎の使用頻度を選択的に用いるようにしたが、この他に、全く異なる研究者グループの使用頻度や、自分以外の他のユーザの使用頻度を用いて、所見名及びそのグレードを入力してもよい。この場合には、他の研究者グループや他のユーザの使用頻度を用いることを、管理者によってユーザ登録時に登録しておき、この登録をしたユーザの操作画面において、他のユーザや他の研究グループの使用頻度の選択ボタンを用意しておき、この選択ボタンが押されたときに、他のユーザや他の研究グループを選択させる。これにより、選択されたユーザなどの使用頻度を用いて、各所見名を並べて表示することができる。
【００６２】
上記実施形態では、ＬＡＮで帳票出力端末とＤＢサーバとを接続した状態で帳票作成支援システムを構成しているが、ＤＢサーバを使用せずに、スタンドアローン型のコンピュータ内に各種データを格納しておき、実施してもよい。
【００６３】
また、ＤＢが構築されるデータ格納装置としては、ＤＢサーバ以外でもよく、例えば、ＮＡＳ（Network Attached Storage）、ＳＡＮ（Storage Area Network）といったネットワークを介して接続するストレージデバイスを使用してもよい。このように、コンピュータシステムの物理構成は適宜変更が可能である。
【００６４】
上記実施形態では、ネットワークとしてＬＡＮを例に説明しているが、研究室が複数の拠点に分散しているような場合には、ネットワークとしてＬＡＮとＷＡＮ（Wide Area Network）を組み合わせて使用してもよい。
【００６５】
なお、上記実施形態で示したとおり、本発明は、プログラムの形態、さらにはプログラムを記憶する記憶媒体にもおよぶことはもちろんである。
【符号の説明】
【００６６】
１３  帳票作成端末
１５  データベース（ＤＢ）サーバ
４２  所見データテーブル
４３  動物情報テーブル
４４  所見名使用頻度テーブル
６０  種別登録部
６１  種別データ記憶部
６２  データ入力画面表示部
６３  入力受付部
６４  所見データ作成部
６５  使用頻度算出部
６６  所見名使用頻度記憶部
６７  所見データ記憶部
６８  所見名入力支援部
【図１】
2012155614.tif 000003
【図２】
2012155614.tif 000004
【図３】
2012155614.tif 000005
【図４】
2012155614.tif 000006
【図５】
2012155614.tif 000007
【図６】
2012155614.tif 000008
【図７】
2012155614.tif 000009
【図８】
2012155614.tif 000010
【図９】
2012155614.tif 000011
【図１０】
2012155614.tif 000012
【図１１】
2012155614.tif 000013
【図１２】
2012155614.tif 000014
【図１３】
2012155614.tif 000015